(57)【要約】【課題】複写により偽造防止効果が得られない複写条件で偽造防止効果を示す印刷物を提供すること。【解決手段】基材シート上に二次元コードを印刷して成る印刷物であって、二次元コードを構成するデータ画像のエッジを平均化処理する。一般に画像をコピーしたときには、その画像が劣化する。本発明の二次元コードは、データ画像のエッジが平均化処理してぼかしてあるので、このようにぼけた画像をコピーすると、画像が更に劣化する。こうして劣化したコピー画像から二次元コードの情報を読み取ることは困難である。このため、この印刷物の偽造を防止することができるのである。【選択図】図１
2017072988.tif 000002
【特許請求の範囲】
【請求項１】
基材シート上に二次元コードを印刷、乃至は二次元コード付き印刷物において、
二次元コードを構成するデータ画像のエッジが平均化処理されていることを特徴とする二次元コード付き印刷物。
【請求項２】
二次元コードがＱＲコード（登録商標）であることを特徴とする請求項１記載の二次元コード付き印刷物。
【請求項３】
ＱＲコード（登録商標）が、１５ｍｍ×１５ｍｍの外形を有し、バージョン１０、誤り訂正レベルＬのＱＲコード（登録商標）であることを特徴とする請求項２記載の二次元コード付き印刷物。
【発明の詳細な説明】
【技術分野】
【０００１】
本発明は、二次元コードを利用した偽造防止が施されている印刷物に関する。とりわけ、小切手、手形、商品券、株券等の有価証券の偽造防止に有効な手段となる印刷物に関するものである。
二次元コードとしては、その代表例としてＱＲコード（登録商標）を例示できる。
【背景技術】
【０００２】
近年、複写機の精度向上は著しく、特にカラー複写機の普及は著しく各種の有価証券類の偽造を容易にしている。偽造を防止する手段は、物品そのものを複製することが困難なものとするか、或いは真似することが困難なものを本物であることの証明として物品に貼りつけることにより本物と偽物を区別できるようにする方法がある。 
前者の複製を困難にする方法としては、複写機等の光学機器が解像しない細かな文字やパターンを印刷したり、金属光沢インキ或いは蛍光インキ等で印刷する方法がある。しかし、この方法では本物を知らない人が本物と偽物を区別して認識することは容易でない。また、後者の真似をすることが困難なものを貼りつける方法として、ホログラムを用いるものがある。ホログラムは、偽造することは困難であり偽造防止効果は高いが、ホログラムを作製するには高度の技術、高価な設備が必要であり製造コストが高くなる。 
前者の方法のうち、複写機で複写した場合に文字、パターン等が浮かびあがり本物を知らない人でも容易に偽物であると認識できる印刷物として、潜像部と非潜像部で異なるパターンを組み合わせて構成した印刷物が知られている。ここで示すパターンとは、網点や万線といったものが一般的である。この方法は、安価かつ目視にて真贋判定ができる偽造防止技術を施せることが利点として挙げられる。しかし、この方法では、複写機のスキャン濃度や原稿モードなどの複写条件を変更することで、潜像が現れずに偽造防止効果が弱められることがある。この際の複写条件は、細部をぼかして複写するような条件である。ここでのぼかすという表現は、二つの領域に対して平均化を行うことを指す。
【先行技術文献】
【特許文献】
【０００３】
【特許文献１】特許第４７０１７３０号公報
【特許文献２】特許第３８０００７０号公報
【発明の概要】
【発明が解決しようとする課題】
【０００４】
そこで、本発明は潜像部と非潜像部で異なるパターンを組み合わせて構成した偽造防止パターンが、複写にて潜像が発現しない複写条件において、偽造防止効果が得られる安価な印刷物を提供することを目的とする。
【課題を解決するための手段】
【０００５】
すなわち、請求項１に記載の発明は、基材シート上に二次元コードを印刷、乃至は二次元コード付き印刷物において、
二次元コードを構成するデータ画像のエッジが平均化処理されていることを特徴とする二次元コード付き印刷物である。
【０００６】
次に、請求項２に記載の発明は、二次元コードがＱＲコード（登録商標）であることを特徴とする請求項１記載の二次元コード付き印刷物である。
【０００７】
次に、請求項３に記載の発明は、ＱＲコード（登録商標）が、１５ｍｍ×１５ｍｍの外形を有し、バージョン１０、誤り訂正レベルＬのＱＲコード（登録商標）であることを特徴とする請求項２記載の二次元コード付き印刷物である。
【発明の効果】
【０００８】
一般に画像を複写したときには、その画像の細部がぼかされて複写される。本発明の印刷物は、二次元コードを構成するデータ画像のエッジが平均化処理してぼかしてあるので、このようにぼけた画像を複写した場合、平均化処理を施していない場合と比較すると、より大きくぼけた複写画像が得られる。標準より大きくぼかす複写条件の場合、平均化処理を施した画像からは、さらに大きくぼけた複写画像が得られる。こうしてぼけた複写画像から二次元コードの情報を読み取ることは困難である。このため、この印刷物の偽造を防止することができるのである。
【図面の簡単な説明】
【０００９】
【図１】図１は具体例に係り、図１（ａ）はその平面図、図１（ｂ）は断面説明図である。
【図２】図２はＱＲコード（登録商標）の例に係り、図２（ａ）は平均化処理を施したＱＲコード（登録商標）の説明図、図２（ｂ）は未処理のＱＲコード（登録商標）の説明図である。
【発明を実施するための形態】
【００１０】
以下、ＱＲコード（登録商標）を印刷した定期乗車券を例として本発明を説明する。図１（ａ）はその平面図、図１（ｂ）は断面説明図である。
【００１１】
これらの図から分かるように、この定期乗車券は、基材シート上にＱＲコード（登録商標）を含む各種情報を印刷したものである。
【００１２】
ＱＲコード（登録商標）は、図２に示すように、正方形の形状を有するもので、データ画像のほかに、管理用の各種機能パターンを表示している。例えば、位置検出パターン、位置検出パターンの分離パターン、タイミングパターン、位置合わせパターンである。
【００１３】
データ画像は、例えば、ウエブサイトのＵＲＬを表示したり、乗車券や入場券の内容を表示するものである。このデータ画像は、多数の画素を配列して構成されており、それぞれの画素の濃淡や色彩によってその情報を表現している。
【００１４】
また、位置検出パターンはＱＲコード（登録商標）が存在する位置及びその方向を示す機能を有しており、正方形状ＱＲコード（登録商標）の４個の隅部のうち３個の隅部に配置されている。そして、この位置検出パターンを、一辺が３画素の高濃度の正方形と、その周囲を囲み、一辺が７画素の高濃度の正方形状枠とで構成して、その他の情報（例えば、データ画素やタイミングパターン）と区別している。
【００１５】
また、分離パターンは、位置検出パターンの周囲に配置した１画素幅の低濃度の線状パターンであり、位置検出パターンをデータ画像から区別する機能を有している。
【００１６】
また、タイミングパターンは、高濃度の画素と低濃度の画素とを交互に配列した直線を水平方向又は垂直方向に配置したもので、ＱＲコード（登録商標）の画素数を示している。
【００１７】
また、位置合わせパターンは、ＱＲコード（登録商標）のバージョンに応じて定められた位置に配置されたものである。この位置合わせパターンは高濃度の１画素と、その周囲を囲み、一辺が５画素の高濃度の正方形状枠とで構成して、データ画像の位置の検索の補助の機能を有する。
【００１８】
そして、本発明の印刷物においては、データ画像を構成する画素のうち、高濃度の画素と低濃度の画素との境界、すなわち、データ画像のエッジは、図２（ａ）に示すように、ぼやかされている。
【００１９】
このようにデータ画像のエッジをぼやかすためには、まず、エッジのぼけていないデータ画像を形成し（図２（ｂ）参照）、そのエッジに平均化処理を施せばよい。
【００２０】
平均化処理は、データ画像を構成する多数の画素のうち、特定の画素に着目し、この着目画素の濃度とその周囲の画素の濃度を平均して、前記着目画素の濃度をこの平均値に変換する処理である。着目画素の周囲の画素として着目画素に隣接する画素を使用する場合には、平均化処理に使用する画素数は、着目画素を含めて９画素である。また、着目画素から２画素の距離まで離れた画素を使用する場合には、平均化処理に使用する画素数は２５画素であり、３画素の距離まで離れた画素を使用する場合には、平均化処理に使用する画素数は４９画素である。平均化処理に使用する画素数は着目画素からの距離（pixel）で指定することができる。なお、平均値として、算術平均のほかに、着目画素からの距離に応じて重み付けした加重平均を使用することができる。
【００２１】
そして、データ画像のエッジを構成する画素を着目画素として平均化処理を施すと共に、エッジを構成する画素から一定の距離にある画素まで、この平均化処理を施すことにより、エッジがぼやけた画像を得ることが可能である。
【００２２】
なお、データ画像のエッジだけに平均化処理を施すこともできるが、これを含むデータ画像の全体に平均化処理を施すことも可能である。また、管理用の各種画像とデータ画像とを含めて、その全体に平均化処理を施すことも可能である。いずれの場合にも、データ画像のエッジをぼやけて、正確なコピーが困難になる。
【００２３】
次に、ＱＲコード（登録商標）には種々のバージョンがある。現在、国際規格ではバージョン４０まで定められている。また、ＱＲコード（登録商標）に汚れなどがあった場合にもデータを読み取れるようにするため、誤り訂正レベルが定められている。誤り訂正レベルＬでは約７％の訂正能力がある。また、誤り訂正レベルＭでは約１５％の訂正能力がある。本発明の印刷物では、いずれのバージョンでもよいし、いずれの誤り訂正レベルでもよいが、後述する実施例から分かるように、バージョン１０、誤り訂正レベルＬのＱＲコード（登録商標）を使用することが望ましい。また、その大きさは１５ｍｍ×１５ｍｍであることが望ましい。
【００２４】
なお、ぼけた画像が得られやすい複写条件において、本発明の効果が期待できる。
【実施例】
【００２５】
次に、試験例によって本発明を説明する。この試験例に使用した二次元コードはＱＲコード（登録商標）である。
【００２６】
この試験例では、ＱＲコード（登録商標）として、バージョン、誤り訂正レベル、あるいは大きさがそれぞれ異なるものを使用した。例を挙げると、バージョン５、誤り訂正レベルＬ、大きさ１５ｍｍのＱＲコード（登録商標）である。その他のＱＲコード（登録商標）は、表１にまとめて示す。
【００２７】
また、平均化処理は、Adobe-PhotoShop（Adobe社の登録商標）のぼかし（ガウス）を使用して行った。バージョン５のＱＲコード（登録商標）については、それぞれ、１０pixel、２０pixel、２５pixel、３０pixelの条件で平均化処理を行った。また、バージョン１０のＱＲコード（登録商標）については、それぞれ、５pixel、１０pixel、１５pixel、２０pixelの条件で平均化処理を行った。なお、平均化処理を行わないものについては、０pixelの条件で平均化処理を行ったものとして、データを作成した。
【００２８】
こうして得られた各ＱＲコード（登録商標）を、ＦＵＪＩ  コピー機（ＸＥＲＯＸ社製：ＤＣＩＩ  Ｃ４３００ＭＰ）を使用して、印画紙写真モードでコピーした。コピーのスキャン濃度については、「標準」と「一番濃い」の二種類を使用した。
【００２９】
得られたコピー画像を、スマートフォン（Apple社製：iPhone  5s）の公式ＱＲコード（登録商標）リーダー“Ｑ”（アプリケーションソフト、製作者：デンソーウェーブ社、デペロッパ：arara  innc.）を使用して読み取った。そして、ＯＲコード（登録商標）の読み取り精度を評価した。スキャン濃度が「一番濃い」でも平均化処理の効果が見られたものを「○」、「一番濃い」では効果が見られないが「標準」ででは効果が見られたものを「△」、「標準」でも効果が見られないものを「×」と評価した。この結果を表１及び表２に示す。
【００３０】
【表１】
2017072988.tif 000003
【００３１】
【表２】
2017072988.tif 000004
【００３２】
この結果から、ＱＲコード（登録商標）が、１５ｍｍ×１５ｍｍの外形を有し、バージョン１０、誤り訂正レベルＬのＱＲコード（登録商標）である場合、平均化処理によって、そのコピーの読み取りがもっとも困難になることが分かる。
【図１】
2017072988.tif 000005
【図２】
2017072988.tif 000006